(57)【要約】【課題】表示パネル内蔵型電子黒板において、表示パネル上に描かれる線図をスキャナで安定して読み取るための技術を提供する。【解決手段】  表示パネルと、表示パネルの前面に設置される透光性の筆記シートと、筆記シート上を走行して走査するスキャナとを備える電子黒板において、スキャナによる読み取り開始に関する信号に応答して、表示パネルを所定の色又は／及び輝度で発光させるための信号を出力させる。実施形態によっては、表示パネルと筆記シートとの間に、表示パネルの光からスキャナの読み取り面を隠すためのカバーを設け、スキャナを走行させるとき、表示パネルの光からスキャナの読み取り面が隠され続けるように、スキャナの走行に連携してカバーをも移動させる。【選択図】図５
2010111073.tif 000002
【特許請求の範囲】
【請求項１】
表示パネルと、
前記表示パネルの少なくとも前面に配設された透明部材と、
前記透明部材上に描かれた線図を走査するスキャナと、
前記表示パネルに信号を送出する映像信号発生部と、
を有する電子黒板であって、前記映像信号発生部が、前記スキャナによる読み取り動作に関する信号を受け取ることに応答して、前記表示パネルを所定の色又は／及び輝度で発光させるための信号を出力するように構成される、電子黒板。
【請求項２】
前記所定の色は緑色である、請求項１に記載の電子黒板。
【請求項３】
表示パネルと、
前記表示パネルの少なくとも前面に配設された透明部材と、
前記透明部材上に描かれた線図を走査するスキャナと、
前記表示パネルと前記透明部材との間に設けられる反射板と、
前記表示パネルに信号を送出する映像信号発生部と、
を有する電子黒板であって、
前記スキャナを走行させるとき、前記表示パネルの光から前記スキャナの読み取り面が隠され続けるように、前記スキャナの走行に連携して前記反射板を移動させるように構成され、
前記スキャナを走行させるとき、前記映像信号発生部からの信号を受けて、前記表示パネルが所定の色又は／及び輝度で発光するように構成される、電子黒板。
【請求項４】
前記反射板の材質は半透光性である、請求項３に記載の電子黒板。
【請求項５】
前記所定の色は、前記表示パネルが発光可能な白系統の色である、請求項１または請求項４に記載の電子黒板。
【請求項６】
前記反射板は、前記スキャナを走行させるための駆動部から連結具を介して力を受ける、請求項３から請求項５のいずれかに記載の電子黒板。
【請求項７】
前記連結具は、前記スキャナを走行させるための駆動部に連結される第一の部材と、前記反射板に連結される第二の部材と、前記第一の部材と前記第二の部材とを接続する弾性部材とを備え、
前記弾性部材は、前記第一の部材に伝えられる前記スキャナの走行方向の力を前記第二の部材に伝えるように配設され、
前記弾性部材の弾性力は、前記反射板が走行する場合において該反射板を移動させる前記駆動部の推進力よりは強く且つ、前記反射板が走行を停止する場合において前記反射板を移動させる前記駆動部の推進力よりは弱い、請求項６に記載の電子黒板。
【請求項８】
前記弾性部材は定荷重ばねを有する、請求項７に記載の電子黒板。
【請求項９】
前記映像信号発生部は、前記透明部材上に描かれた線図の色に応じて前記表示パネルの輝度を変更するように構成される、請求項１から請求項８のいずれかに記載の電子黒板。
【請求項１０】
前記スキャナが前記透明部材上を一往復半し、前記スキャナが走行方向を変えるたびに前記表示パネルの発光色を変更するように構成される、請求項１から請求項９のいずれかに記載の電子黒板。
【請求項１１】
前記スキャナにより読みとられた画像情報と、前記表示パネルに表示する画像情報とを合成する手段をさらに備える請求項１から請求項１０のいずれかに記載の電子黒板。
【請求項１２】
表示パネルと、
前記表示パネルの少なくとも前面に配設された透明部材と、
前記透明部材上に描かれた線図を走査するスキャナと、
制御部と、
を有する電子黒板のためのプログラムであって、前記制御部を、前記スキャナによる読み取り開始に関する信号を受け取ることに応答して前記表示パネルを所定の色又は／及び輝度で発光させるための信号を出力するように動作させる、プログラム。
【請求項１３】
請求項１２に記載のプログラムを格納するコンピュータ読み取り可能な記憶媒体。
【請求項１４】
表示パネルと、
前記表示パネルの少なくとも前面に配設された透明部材と、
前記透明部材上に描かれた線図を走査するスキャナと、
を備える電子黒板であって、さらに、請求項１２に記載のプログラムを格納する記憶部と、該プログラムによって動作せしめられる制御部とを備える、電子黒板。
【請求項１５】
表示パネルと、
前記表示パネルの少なくとも前面に配設された透明部材と、
前記透明部材上に描かれた線図を走査するスキャナと、
を備える電子黒板の制御方法であって、前記スキャナによる読み取り開始に関する信号を受け取ることに応答して、前記表示パネルを所定の色又は／及び輝度で発光させるための信号を出力させることを含む、電子黒板の制御方法。
【請求項１６】
前記表示パネルと前記透明部材との間に、前記表示パネルの光から前記スキャナの読み取り面を隠すためのカバーを設け、
前記スキャナを走行させるとき、前記表示パネルの光から前記スキャナの読み取り面が隠され続けるように、前記スキャナの走行に連携して前記カバーを移動させることを含む、請求項１５に記載の電子黒板の制御方法。
【請求項１７】
表示パネルと、
前記表示パネルの少なくとも前面に配設された透明部材と、
前記透明部材上に描かれた線図を走査するスキャナと、
前記表示パネルと前記透明部材との間に設けられるカバーであって、前記表示パネルの光から前記スキャナの読み取り面を隠すためのカバーと、
を備え、前記スキャナを走行させるとき、前記表示パネルの光から前記スキャナの読み取り面が隠され続けるように、前記スキャナの走行に連携して前記カバーを移動させるように構成される、電子黒板。
【請求項１８】
前記カバーの材質は半透光性である、請求項１７に記載の電子黒板。
【請求項１９】
前記カバーは、前記スキャナを走行させるための駆動部から連結具を介して力を受ける、請求項１７または請求項１８に記載の電子黒板。
【請求項２０】
前記連結具は、前記スキャナを走行させるための駆動部に連結される第一の部材と、前記カバーに連結される第二の部材と、前記第一の部材と前記第二の部材とを接続する弾性部材とを備え、
前記弾性部材は、前記第一の部材に伝えられる前記スキャナの走行方向の力を前記第二の部材に伝えるように配設され、
前記弾性部材の弾性力は、前記カバーが走行する場合において該カバーを移動させる前記駆動部の推進力よりは強く且つ、前記カバーが走行を停止する場合において該カバーを移動させる前記駆動部の推進力よりは弱い、請求項１９に記載の電子黒板。
【請求項２１】
前記弾性部材は定荷重ばねを有する、請求項２０に記載の電子黒板。
【発明の詳細な説明】
【技術分野】
【０００１】
本発明は、表示パネルを内蔵した電子黒板において、特に、筆記具で表示パネル上に描かれた線図を読み取る技術及びこれを用いた電子黒板に関するものである。
【背景技術】
【０００２】
オフィスでプレゼンテーションや会議を行う場合に、電子化された文書を表示しつつ、その表示に重ねてコメントを書き込み、メモ、注記や打合せ事項を付せれば便利である。近年、フラットパネルディスプレイが大型化し、価格も低下して、大型ディスプレイが身近になって来た。かかるディスプレイは投影型（プロジェクションタイプ）のものよりも画質が鮮明で明るく、部屋の照明を落とすことなく使用できる。
【０００３】
フラットパネルディスプレイを内蔵し、ディスプレイ上に筆記具等で描かれた線図を、スキャナで読み取る機能を有する電子黒板として、特許文献１に記載されたものがある。この文献の実施の形態１には、スキャナにより、ディスプレイ上の線図を走査し、ディスプレイの表示と合わせて、筆記具等で描かれた線図も読み取って、それらのデータを記憶する旨の記載がある（特に００１６段落及び００１９段落）。
【０００４】
しかしながら、実際には、線図の背景に表示パネルのバックライト等の光源が位置するため、この光源からの光が邪魔をして、ディスプレイ上に筆記具等で描かれた線図を読み取ることは困難である。また、ディスプレイの表示自体を読み取ることも困難である。特許文献１には、これらの技術的困難性にも関わらず、読み取りを可能とするための具体的構成は記載されていない。
【０００５】
特許文献２には、シートに描かれた付与画像と、シートに投影された像とを、シートを挟んで投影機とは反対側から走査するスキャナを有する電子黒板が記載されている。かかる電子黒板の具体的構成は、同文献の２頁右下１７行から同３頁右上１８行までに、第２実施例として記載されている。そして、全体の斜視図、スキャナ部分の拡大断面図が、それぞれ同文献の第４図、第５図に示されている。
【０００６】
特許文献２では、シート上の像の色彩については触れられておらず、スキャナ出力をカラー化することについては何ら記載がない。また、シートの一部が不透明である場合には、透過光を利用できないため、不透明なシート上の像を読み取ることはできない。更に、透過型のスキャナは一般的でなく、適用製品たる電子黒板その他の機器の製造コストを上昇させる。
【０００７】
特許文献３には、文字の部分とその背景の部分の色が、レジスタに登録されていることを前提に、文字の色の部分から文字色マスクを作成し、背景色から文字背景色マスクを作成して、これらと論理をとることで文字の部分を背景と分離して、鮮明に２値記録を行う擬似階調印字装置が記載されている。しかしながら、この文献は、表示パネル上に描かれた線図の読み取りについては何ら記載が無い。
【０００８】
特許文献４には、カラーインクの反射濃度差を用いて、複数の筆記具によるマーキングを色分けする電子機器が記載されている。この文献も、表示パネル上に描かれた線図の読み取りについて、何らかの示唆を与える文献ではない。
【０００９】
特許文献５には、いわゆるホワイトボードにカラーのインクで描かれた線図を反射型のスキャナで読み取る技術が開示されている。しかしながら、この文献にも、表示パネル上に描かれた線図の読み取りについては何も記載していない。
【特許文献１】特開２０００−２２９４９８号公報
【特許文献２】特開昭６４−０５６５９９号公報
【特許文献３】特開２００３−１６３８１２号公報
【特許文献４】特開平１１−３３４２７７号公報
【特許文献５】特開２００２−２１８１６５号公報
【発明の開示】
【発明が解決しようとする課題】
【００１０】
かかる事情に鑑み、本発明は、表示パネル内蔵型電子黒板のために、表示パネル上に描かれる線図をスキャナで安定して読み取るための技術を提供することを目的とする。
【課題を解決するための手段】
【００１１】
上記の課題を解決し得る、本明細書において開示される新規な構成の１つは、電子黒板に描かれた線図を走査する際に、スキャナに対面する表示パネルを所定の色又は／及び輝度で発光させるような制御を行うことである。
【００１２】
ある実施形態において、この制御は、線図による反射光を、表示パネルからの光と区別して認識するために利用される。すなわち、反射型スキャナは、読み取り光を放射し、読み取り対象によって反射される光を検出することにより読み取りを行うものであるが、従来は、表示パネル上に描かれる線図を読み取ろうとしても、表示パネルから放射される光が邪魔をして、表示パネルからの光と読み取り光の反射光とを区別することができなかった。しかしながら、表示パネルを所定の光で発光することにより、この二つの光を区別することが可能となる。
【００１３】
実施形態によっては、この所定の光は緑色である。すなわち好ましくは、表示パネル全体を緑色で発光させる。本願発明者は、このように制御することにより、表示パネル上に描かれた線図をスキャナに認識させることが可能であることを見出した。線図は様々な色で描かれる可能性があるが、本願発明者が見出したところによれば、緑色は、最も対応力の広い色であった。
【００１４】
実施形態によっては、線図の色に応じて、様々な色で表示パネルを発光させるように構成してもよい。または、線図の色に応じて、表示パネルの複数の色の輝度を低下させるように構成してもよい。このような構成とすることにより、線図の色がスキャナの感度の閾値を超えるため、線図を安定して読み取ることができる。
【００１５】
しかしながら、上記の実施形態においては、線図の明度情報を得ることは可能であるが、表示パネルの光の影響のため、線図の色を特定することまでは困難であった。この課題に対処するため、線図を描くための筆記板と表示パネルとの間に、スキャナに対面して伴走する板状部材を設けるという新規な構成が開示される。
【００１６】
この板状部材は、スキャナの読み取り光を反射する反射板として機能すると共に、スキャナの読み取り面に対して表示パネルの光を遮るカバーとしても機能する。この板状部材を設けることにより、表示パネルの光の影響が少なくなるため、スキャナの読み取り部は、スキャナから放射された読み取り光の反射光を容易に判別することが可能となり、線図の色まで特定することが可能となる。
【００１７】
しかしながら、この構成にも改良すべき点がある。それは、スキャナから放射された読み取り光の反射が、線図の表面と反射板の表面の少なくとも２カ所で生じてしまうことから、反射光が読み取り部の複数の位置に入射してしまい、読み取り結果に滲みを生じる場合があることである。言葉を変えれば、読み取り光に対して反射板上に形成される線図の陰影が、読み取り結果を滲ませてしまう場合があるのである。
【００１８】
この問題に対処するため、反射板を表示パネルの発光の一部を透過させる部材（半透明）とし、透過させた光によって反射板をある程度光らせ、それによって陰影を薄くするという新規な構成が開示される。陰影が薄くなることにより、読み取り結果における滲みを軽減させることができる。
【００１９】
本願発明者は、反射板に形成される陰影を薄くするために適当な色は、白色であることを見出した。したがって、上記の構成を利用する場合、スキャナの走査に際し表示パネルを白色で発光させるように制御することが好ましい。
【００２０】
表示パネルを白色で発光させるにせよ、前述のように緑色で発光させるにせよ、表示パネルの発光色の変更は、スキャナによる読み取り動作に関する信号に応じて行われるように構成されることが好ましい。例えば、電子黒板の映像信号発生回路は、電子黒板に設けられた読み取りボタンが押されることにより生じた信号を受け取ることに応答して、表示パネルの表示を変更するように構成できる。かかる応答処理は、ハードウェア的に行うように構成してもよいが、CPUとプログラムによるソフトウェア処理によって行うように構成してもよい。
【００２１】
反射板は、スキャナを走行させるための駆動部に連結具を介して連結されることが好ましい。このように構成することにより、スキャナに確実に連動させて反射板を移動させることが可能になると共に、反射板を移動させるためのアクチュエータを別途設けることが不要となるという利点がある。
【００２２】
この連結具（行程差緩和機構）は、スキャナを走行させるための駆動部に連結される第一の部材と、反射板に連結される第二の部材と、これら第一及び第二の部材を接続する弾性部材であって、第一の部材に伝えられるスキャナ走行方向の力を第二の部材に伝えるように取り付けられる弾性部材とを備えるものであってもよい。この実施形態において、弾性部材は、その弾性力が、反射板が固定されていない場合において反射板を移動させるための力よりも強いものであることが好ましい。また、その弾性力は、反射板が動けない場合においてもなおスキャナを移動させ得るように、スキャナの駆動部の推進力よりは弱いことが好ましい。かかる構成によれば、実装上の問題で反射板の可動範囲がスキャナの可動範囲よりも小さくならざるを得ない場合であっても、反射板の可動範囲を超えてスキャナを移動させることが可能となると共に、反射板が動ける範囲においては、当該弾性部材によってスキャナ駆動部の推進力を反射板へ伝え、反射板をスキャナに連動させて移動させることが可能となる。すなわち上記の連結構成は、スキャナと反射板の行程差を緩和する機構を形成する。
【００２３】
実施形態によっては、筆記具のインクの色に対応させて、予め表示パネルの複数の色を選択し、これらの輝度の低下の割合を定めておくこととしてもよい。一つのインク色と複数の色、これらの輝度の低下の割合を一組とする。予め複数の組を定め、一つの線図の走査を複数の組について行う。この結果、線図の色情報を取得でき、線図のカラー表示が可能となる。
【００２４】
フルカラーで色情報を特定するには、一つのインク色と選択されるべき複数の色、これらの輝度の低下の割合を一組とするとき、合計三組、必要となる。例えば、インク色として、絵の具の三原色である青緑、マゼンタ（赤紫）、黄、に大別して、これらのうち二つの色彩の輝度を低下させ、残る一つの色彩を対応させ、合計三組を選択する。または光の三原色である赤、緑、青紫、に対応させた三組を選択する。
【００２５】
複数の組について行う一つの線図の走査は、線図に対応する電子黒板の一面を、スキャナが一往復半（三面分）、移動することでなされることとしてもよい。
【００２６】
本発明の実施形態は、これら一つ以上の特徴を含む電子黒板及び当該電子黒板のための部品、電子黒板の制御方法、並びに電子黒板を制御するためのプログラム及びそのプログラムを格納するコンピュータ読み取り可能な記憶媒体を含む。
【００２７】
本発明の好適な実施形態のいくつかの例は、添付の特許請求の範囲に定義されている。しかしながら、本発明の実施形態は、特許請求の範囲に示される実施形態にとどまるものではなく、本明細書及び図面に明示的及び暗示的に開示される全ての新規且つ有益な構成及びその組み合わせを含むものである。
【発明を実施するための最良の形態】
【００２８】
本発明の好適な実施形態の一例として、表示パネルと、前記表示パネルの少なくとも前面に配設された透明部材と、前記透明部材上に描かれた線図を走査するスキャナと、前記表示パネルに信号を送出する映像信号発生部とを有する電子黒板であって、前記映像信号発生部が、前記スキャナによる読み取り動作に関する信号を受け取ることに応答して、前記表示パネルを所定の色又は／及び輝度で発光させるための信号を出力するように構成される、電子黒板がある。
【００２９】
本発明の好適な実施形態の別の例として、表示パネルと、前記表示パネルの少なくとも前面に配設された透明部材と、前記透明部材上に描かれた線図を走査するスキャナと、前記表示パネルと前記透明部材との間に設けられる反射板と、前記表示パネルに信号を送出する映像信号発生部とを有する電子黒板であって、  前記スキャナを走行させるとき、前記表示パネルの光から前記スキャナの読み取り面が隠され続けるように、前記スキャナの走行に連携して前記反射板を移動させるように構成され、前記スキャナを走行させるとき、前記映像信号発生部からの信号を受けて、前記表示パネルが所定の色又は／及び輝度で発光するように構成される、電子黒板がある。
【００３０】
実施形態によっては、前記所定の色は、前記表示パネルが発光可能な緑系統や白系統の色であることができる。
【００３１】
実施形態によっては、前記反射板が、前記スキャナを走行させるための駆動部から連結具を介して力を受けるように構成することができる。
【００３２】
実施形態によっては、前記連結具は、前記スキャナを走行させるための駆動部に連結される第一の部材と、前記反射板に連結される第二の部材と、前記第一の部材と前記第二の部材とを接続する弾性部材とを備え、前記弾性部材は、前記第一の部材に伝えられる前記スキャナの走行方向の力を前記第二の部材に伝えるように配設され、前記弾性部材の弾性力は、前記反射板が走行する場合において該反射板を移動させる前記駆動部の推進力よりは強く、且つ、前記反射板が走行を停止する場合において前記反射板を移動させる前記駆動部の推進力よりは弱いという構成にすることができる。
【００３３】
本発明の好適な実施形態のさらに別の例として、表示パネルと、前記表示パネルの少なくとも前面に配設された透明部材と、前記透明部材上に描かれた線図を走査するスキャナと、制御部とを有する電子黒板のためのプログラムであって、前記制御部を、前記スキャナによる読み取り開始に関する信号を受け取ることに応答して前記表示パネルを所定の色又は／及び輝度で発光させるための信号を出力するように動作させる、プログラムがある。また、このプログラムを格納するコンピュータ読み取り可能な記憶媒体や、このプログラムによって動作せしめられる制御部を備える、電子黒板も、本発明の好適な実施形態の例である。
【００３４】
本発明の好適な実施形態のさらに別の例として、表示パネルと、前記表示パネルの少なくとも前面に配設された透明部材と、前記透明部材上に描かれた線図を走査するスキャナとを備える電子黒板の制御方法であって、前記スキャナによる読み取り開始に関する信号を受け取ることに応答して、前記表示パネルを所定の色又は／及び輝度で発光させるための信号を出力させることを含む、電子黒板の制御方法がある。
【００３５】
実施形態によっては、前記表示パネルと前記透明部材との間に、前記表示パネルの光から前記スキャナの読み取り面を隠すためのカバーを設け、前記スキャナを走行させるとき、前記表示パネルの光から前記スキャナの読み取り面が隠され続けるように、前記スキャナの走行に連携して前記カバーを移動させることとしてもよい。
【００３６】
本発明の好適な実施形態のさらに別の例として、表示パネルと、前記表示パネルの少なくとも前面に配設された透明部材と、前記透明部材上に描かれた線図を走査するスキャナと、前記表示パネルと前記透明部材との間に設けられるカバーであって、前記表示パネルの光から前記スキャナの読み取り面を隠すためのカバーとを備え、前記スキャナを走行させるとき、前記表示パネルの光から前記スキャナの読み取り面が隠され続けるように、前記スキャナの走行に連携して前記カバーを移動させるように構成される、電子黒板がある。
【００３７】
以下、本発明の好適な実施形態のさらに具体的な例を、添付の図面を参照しながら説明する。ただし、それらの説明は、本発明の実施形態を限定する目的でなされるものではなく、本発明の理解に資する目的でなされるものにすぎないことに留意されたい。
【実施例１】
【００３８】
図１は、第１実施例として紹介する電子黒板の概略構成を説明するためのブロック図である。  
【００３９】
電子黒板の本体１は、外部からインターフェース１０を介して画像情報を入力し表示する、表示パネル２（例えば、液晶ディスプレイ）と、表示パネル２に固定され本体１の一部を構成する透明部材３と、透明部材３に描かれた線図を読み取るための移動式のスキャナ４と、スキャナ４が動作する際に、表示パネル２を発色させるための表示色発生部５と、スキャナ４によって読み取った線図のデータをメモリ９に記憶したり、表示パネル２に表示された画像情報を縮小して線図のデータと合成したり、データや情報をインターフェース１０を介して外部へ出力したり、プリンタ８による印刷動作を制御する制御部６と、スキャナ４の動作開始を指示したり、表示された画像情報、読み取った線図のデータ、これらの合成結果をプリンタ８又は外部へ出力することを指示する操作部７とを有している。
【００４０】
電子黒板の利用者は、筆記具（白板用インクペン）を用いて、直接、透明部材３に文字や絵、指示線などの線図を描くことができる。スキャナ４は、通常の反射型スキャナであり、内蔵する光源から読み取り対象の線図に、単数又は複数の色彩の光を照射して、その反射光を一つのラインセンサやＣＣＤに入力しつつ、線図が描かれた透明部材３の所定範囲を左右に移動する。
【００４１】
表示色発生部５は、ソフトウェアにより機能しても良いし、電子回路により機能しても良い。表示パネル２は、インターフェース１０を介して外部のパソコンその他の電子機器と接続され、電子黒板１と独立した、表示モニターの機能を有する。
【００４２】
以上の構成において、インターフェース１０を介して、コンピュータや映像機器から入力された画像情報は、表示パネル２の表示領域に表示される。画像情報は、制御部６の支配下で、メモリ９に記憶されても良い。表示領域に表示されている画像情報に対して、利用者は、透明部材３上にインクペン等で文字や図形などを描く。この後、利用者が操作部７から、使用したインクペンの色、スキャナによる線図の読み取り等を指示すると（単色カラーモード）、表示色発生部５が機能する環境下、制御部６は、スキャナを走査する。このとき表示パネル２の表示色は所定の色彩、輝度となっている。
【００４３】
即ち、指定されたインクペンの色に対応して、制御部６は、スキャナが読み取った線図の信号値はスキャナの感度の閾値を十分に越えるように、かつ、スキャナが読み取った表示パネル２の表示色の信号値はスキャナの感度の閾値を越えないように、表示色発生部５を制御する。または表示色発生部５が表示パネル２の発色の設定値を予め有し、スキャナの走査に同期して、制御部６からの信号を受けて、表示パネル２を発色させても良い。
【００４４】
かかる制御部６の指示を受け、表示色発生部５は表示パネル２を所定の色彩、輝度で発色させる。そしてスキャナ４により読み取られた線図のデータには、使用したインクペンの色に対応した色情報が付される。
【００４５】
利用者が、透明部材３上に複数のインクペンで多色で文字等を描いた後、操作部７からカラー情報の読み取りを指示すると、制御部６は、線図に対応する電子黒板の一面を、スキャナ４が一往復半（三面分）移動するよう駆動する（フルカラーモード）。
【００４６】
これに伴い表示色発生部５は、スキャナ４が一面分を走査する間、一組の色彩と輝度で表示パネル２を発色させる。表示パネル２は、スキャナ４の一往復半（三面分）の移動に同期して、一つの線図に対し三組（三面分）の発色を行う。スキャナ４により読み取られたカラーの線図のデータには、使用したインクペンの多色に対応した色情報がそれぞれ付される。
【００４７】
透明部材３上の線図をモノクロで読み取る場合（モノクロモード）、表示色発生部５は、表示パネル２を緑色で発光させる。好ましくは表示パネルの全面を緑色で発光させる。そして、モノクロモードの場合、スキャナ４は、透明部材３上を一度だけ走査すれば十分である。すなわち、カラーモードの場合のように、透明部材３上でスキャナ４を一往復半させる必要はなく、片道だけの走査で足りる。
【００４８】
読み取られた線図のデータは、制御部６により、メモリ９に記憶される。また制御部６は、線図に重ねて表示パネル２に表示した画像情報を縮小し、読み取られた線図のデータに合成しても良い。この場合、電子黒板に表示された画像と、これに重ねて利用者が描いた線図とを合成し、合成結果全体を所定の用紙、例えばＡ４版の紙面に印刷可能な大きさに変換して、メモリ９に記憶する。利用者が操作部７により、かかる合成後の線図のデータ（変換画像情報）の出力を指示すると、プリンタ８対して又はインターフェース１０を経由して外部に対して、合成後のデータが送出される。
【００４９】
かかる合成をしない場合には、線図の読み取りデータが、利用者が操作部７を操作することにより、プリンタ８対して又はインターフェース１０を経由して外部に対して、送出される。
【００５０】
表示パネル２としては、フラット型のパネルディスプレイが望ましく、例えば、液晶を用いた画像表示装置（ＬＣＤ）、有機エレクトロルミネセンス現象を用いた有機ＥＬディスプレイ装置などが挙げられる。
【００５１】
図２は、本発明の実施例１に適用される電子黒板の外観構造を示す斜視図である。  
【００５２】
電子黒板の本体１１は、図１の本体１に対応している。本体１１の前面開口部に固定されている液晶ディスプレイ１２は、図１の表示パネル２に対応している。表面を硬化した透明樹脂板１３は、図１の透明部材３に対応する。透明樹脂板１３には、筆記具（白板用インクペン）を用いて利用者が直接、文字、絵、指示線、注記などを描くことができる。また、透明樹脂板１３は、液晶ディスプレイ１２の表示面より大きく、表示面以外の領域（余白部分）は白色に形成され、通常のホワイトボードとして機能する。
【００５３】
移動式スキャナ１４は、図１のスキャナ４に対応し、透明樹脂板１３に描かれた線図を読み取る。
【００５４】
以上の構成において、インターフェース１０を介して接続されているコンピュータ機器や映像機器等から、この電子黒板に入力された画像情報は、ＬＣＤを用いた液晶ディスプレイ１２の表示領域に表示される。また、画像情報は、制御部６の支配の下に、メモリ９に記憶されても良い。
【００５５】
ここで表示される画像情報に重ねて、利用者が、透明樹脂板１３上に水性インクを用いたペンやマーカーで、文字・記号や注意書などを描くことができる。
【００５６】
利用者の操作部７に対するアクションを契機として、透明樹脂板１３上に描かれた線図は、移動式スキャナ１４が左又は右に移動しながら読み取って、電子データに変換され、必要な色情報と共に、メモリ９に記憶される。図示しない制御部６は、液晶ディスプレイ１２に表示された画像情報を縮小し、読み取った線図のデータと合成しても良い。
【００５７】
また図示しない操作部７からの利用者の指示に基づき、制御部６は、合成後の読み取られた線図のデータ（変換された画像情報）を、図示しないプリンタ１８に出力（印刷）し、又は、インターフェース１０を介して接続されたコンピュータ機器へ送出しても良い。
【００５８】
図３は、実施例１の電子黒板の制御部６による処理を示すフローチャートである。この処理を実行する制御プログラムは、制御部６のプログラムメモリに格納されている。
【００５９】
制御部６は、インターフェース１０を介して接続されているコンピュータ機器等から画像情報が入力されるかを調べ、入力されると（ステップ１）その入力した画像情報を液晶ディスプレイ１２に表示する（ステップ２）。この際に、制御部６は、画像情報を縮小処理その他必要な画像処理を行い、その結果をメモリ９又は図示しない制御部６の内部メモリに記憶しても良い。
【００６０】
次に、操作部７から移動式スキャナ１４を使用した画像の読取り指示が入力されたかを調べ（ステップ３）、指示があれば、移動式スキャナ１４の走査を開始して、液晶ディスプレイ１２の所定の表示領域に表示されている線図を読み取る（ステップ４）。また制御部６は、読取り指示の入力に応じて発生する信号を受け取ると、表示色発生部５に命令を出し、液晶ディスプレイ１２を所定の色で表示させる。例えばモノクロモードの場合、制御部６は、液晶ディスプレイ１２を緑色で発光させるための制御を表示色発生部５に対して行う。表示色発生部５は、制御部６の指示に従って液晶ディスプレイ１２に所定の画像信号（映像信号）を出力する。読み取られた線図のデータはメモリ９に記憶される（ステップＳ５）。
【００６１】
制御部６は、適宜、メモリ９に記憶された不要な画像情報を消去し、メモリの空き容量を監視し、メモリ９と内部メモリとを使い分ける。制御部６は、適当なタイミングで、読み取った線図のデータと、縮小処理等をした画像情報とを合成し、変換後の画像情報として、メモリ９又は内部メモリに記憶しても良い。
【００６２】
次に、操作部７から、インターフェース１０を介してデータを出力する出力指示が入力されたかを調べ（ステップ６）、その出力指示があれば、メモリ９に記憶されているデータを、プリンタ８又はインターフェース１０を介して接続された外部のコンピュータ機器などに出力する（ステップ７）。
【００６３】
以上説明したように実施例１によれば、表示パネルに表示されている画像に、利用者が所望の絵や図形、文字その他の線図をパネルの上から描き入れ、これを安定して容易に読み取ることができる。通常の反射型スキャナを用いて、簡単な操作で、表示パネルに表示した画像情報と、これに描かれた線図とを重ねて合成した画像データを作成することができる。
【００６４】
本発明の実施は、前述の実施例の機能を実現するソフトウェア（プログラムコード）をインターフェース１０を介して制御部６へインストールすることにより、又は、上記ソフトウェア（プログラムコード）を格納した記憶媒体を制御部６に設けられた図示しない所定のポートへ接続してインストールすることにより、達成されるようにしても良い。
【００６５】
この場合、記憶媒体から読み出されたプログラムコード自体が前述した実施例の機能を実現する。換言すればコンピュータ上で稼働しているオペレーティングシステム（ＯＳ）などが実際の処理の一部または全部を行い、その処理によって前述した実施例の機能が実現される。
【００６６】
なお、上記ソフトウエア（プログラムコード）が、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施例の機能が実現されても良い。
【００６７】
実施例１によれば、表示パネルに表示されている画像に、利用者が所望の文字、図形その他の線図を描き加え、これを簡単な操作で印刷又は出力できるという効果が提供される。また、容易に表示画像と描き加えた線図との合成を行える効果が提供される。
【実施例２】
【００６８】
図４は、第２実施例として本明細書に紹介する電子黒板４００を説明するための図であり、（ａ）は正面斜視図、（ｂ）は背面斜視図である。電子黒板４００は、表示パネル（液晶ディスプレイ）４０２と、液晶ディスプレイ４０２の前面に設置される透光性の筆記シート４０４と、筆記シート４０４上を走行して走査するスキャナ４０６と、操作パネル４０８などを備えている。これらはそれぞれ第一実施例として紹介した電子黒板１の液晶ディスプレイ１２，透明樹脂板１３，移動式スキャナ１４，操作部７に対応し、同様の機能を備えている。筆記シート４０４は、液晶ディスプレイ４０２に表示される映像を隠すことがないように、できるだけ透明なものであることが望ましい。また利用者は、筆記シート４０４の上に、マーカーを用いて文字・図などを自在に描くことができる。このような目的のために用いることができる材料として、例えばアクリルがある。スキャナ４０６は反射型のスキャナ、すなわち読み取りのための光を放射して、その反射光を光検出器で検出することにより、対象の読み取りを行う方式のスキャナである。図４（ｃ）に描かれるように、スキャナ４０６は、筆記シート４０４上を、横方向に走行することにより、筆記シート４０４の全面をスキャンする。スキャナ４０６を移動させるため、スキャナ４０６は電動アクチュエータ４１０（図４（ａ）,（ｂ））に連結されている。電動アクチュエータ４１０は電子黒板４００の上部に設置され、やはり電子黒板４００の上部に設けられるレール４１２の上を移動し得るように構成される。図示されていない制御部は、電動アクチュエータ４１０を移動させることにより、スキャナ４０６を走行させる。図４（ｃ）において、スキャナ４０６は、正面に向かって左から右方向へ走行しているが、スキャン自体は左右どちらの方向へ走行しても行うことが可能である。
【００６９】
図５は、図４（ｃ）のＡ−Ａ'断面図であり、（ａ）は断面の全体図、（ｂ）は断面の上部の拡大図である。図示されるように、液晶ディスプレイ４０２の前面に液晶ディスプレイ４０２の全面を覆うように筆記シート４０４が配置され、さらにスキャナ４０６が筆記シート上を移動自在に配置される。また筆記シート４０４の表面とスキャナ４０６との間には空隙が有る。そして、電子黒板４００が第一実施例の電子黒板１と異なる点は、液晶ディスプレイ４０２と筆記シート４０４の間にカバー（反射板）５００が設けられているところである。
【００７０】
カバー（反射板）５００は、液晶ディスプレイ４０２の光をスキャナ４０６に対して遮る働きを有する。このため、反射型スキャナであるスキャナ４０６は、読み取り光の反射光がどの色であっても、それを十分に区別して検出することが可能となり、筆記シート４０４上の線図をカラーで読み取ることを可能とする。従って電子黒板４００に例示される実施形態は、線図をカラーで読み取る場合に好適である。一方、線図を白黒で読み取ることができれば十分な場合は、カバー５００の付加は必ずしも必要ではなく、第一実施例の電子黒板１に例示される実施形態で十分である。
【００７１】
カバー５００が十分な遮光効果を提供するためには、カバー５００は、少なくともスキャナ４０６の読み取り面を覆う程度の形状と大きさを有する必要がある。したがって、カバー５００の形状は、例えば長方形であることができ、その横幅は、例えばスキャナの横幅と同じ程度の幅とすることができ、その縦幅は例えば液晶ディスプレイ４０２の縦幅と同じ程度の幅とすることができる。カバー５００の形状・大きさをこのように選択した場合、カバー５００はスキャナ４０６の背面側に隠れてしまうことになり、図４のように電子黒板４００を外側から眺めた場合、カバー５００を見ることができない。
【００７２】
図６は、カバー５００及びその取り付け機構（行程差緩和機構）の部分を拡大して描いた図であり、（ａ）は全体図、（ｂ）は上部の拡大図、（ｃ）は下部の拡大図である。
【００７３】
カバー５００は、引っ掛け金具（第一の部材）５０２及び懸垂金具（第二の部材）５０４を介して、スキャナ４０６を移動させるための電動アクチュエータ４１０（図５）と連動する。このため、電動アクチュエータ４１０がスキャナ４０６を移動させると、それにつれて、カバー５００も移動する。すなわちスキャナ４０６とカバー５００は連携して移動し、スキャナ４０６がディスプレイ４０２の上を走査している間、カバー５００は常に、ディスプレイ４０２の光からスキャナ４０６の読み取り面を隠し続ける。カバー５００がスムーズに移動できるように、スライドレール５０８が設けられ、懸垂金具５０４はスライドレール５０８に取り付けられる。
【００７４】
このような構成においては、カバー５００を移動させるための推進力発生機構が、スキャナ４０６を移動させるための推進力発生機構（電動アクチュエータ４１０）と共通であるため、スキャナ４０６とカバー５００を容易に連携させて走行させることができ、また、カバー５００を移動させるためのモータやアクチュエータを別途設ける必要がないという利点がある。
【００７５】
引っ掛け金具５０２は電動アクチュエータ４１０に連結され、懸垂金具５０４はカバー５００に連結される。そして、引っ掛け金具５０２と懸垂金具５０４の間には、コプリング（弾性部材）５０６が設けられる。すなわち電動アクチュエータ４１０によるスキャナ走行方向の駆動力は、コプリング５０６を介して引っ掛け金具５０２から懸垂金具５０４へと、一定の荷重で伝えられる。コプリング５０６の役割については、後に詳述する。
【００７６】
図６のカバー５００は懸垂金具５０４に取り付けられているが、この例では、その取り付け方法は図示されているようにねじ止めとなっている。無論、これは、本明細書で例示されるその他の各部品の連結・接続・取り付け方法と同様、ただの一例に過ぎず、製造やコストなどの要請に応じて、様々な取り付け方法を用いてもよいことはもちろんである。懸垂金具５０４はさらに、第１部品５０４ａと第２部品５０４ｂに分かれており、これらは螺合せしめられることにより一体化されているが、これもただの例に過ぎず、さらに多くの部品に分けられていても、または単一の部品として形成されていても構わないものである。重要なことは、スキャナ移動用の電動アクチュエータ４１０との間に、弾性部材５０６が介在せしめられていることである。
【００７７】
本例において、カバー５００の上部５００ｃと下部５００ｄは、表面が若干削られている。これは、筆記シート４０４（図５（ｂ））の裏面とのこすれ防止という目的のためになされている。
【００７８】
カバー５００は、アクリルプレートなどの透明部材５００ａの上に、白フィルム５００ｂを貼付することにより形成されている。したがって、カバー５００は、ディスプレイ４０２の光を完全に遮るわけではなく、ある程度の光を通過させる。カバー５００にこのような半透光性の性質を持たせたのは、次の理由による。
【００７９】
カバー５００を完全に遮光性とすれば、確かにスキャナ４０６は、液晶ディスプレイ４０２からの光に邪魔されることなく、筆記シート４０４上の線図を読みとることができる。しかしながら今度は、スキャナ４０６の読み取り光がカバー５００の表面に線図の陰影を形成してしまい、その陰影が読み取られることによって、読み取り結果に滲みが生じてしまうという問題が発生する。この問題を解決するため、発明者は、カバー５００を完全に遮光性にせずに、逆にある程度の光量を通し、カバーをある程度光らせることにより、スキャナの読み取り光によって形成される陰影を薄くして、読み取り結果における陰影の影響を軽減できることを見出した。
【００８０】
このような理由から、カバー５００は完全な遮光性ではなく、半透光性の性質を有することが好ましい。また筆記シート上の線図の色がどのような色であっても陰影を薄くすることができるように、カバー５００を透過させる光の色は、白色または液晶ディスプレイ４０２が発生可能な白系統の色であることが好ましい。そこで、液晶ディスプレイ４０２は、スキャナ４０６の走査時において、白色で発行するように制御されることが好ましい。
【００８１】
なお、カバー５００に形成される陰影の悪影響は、筆記シート４０４の厚さが薄くなればなるほど小さくなる。また、筆記シート４０４とカバー５００との距離が小さくなればなるほど、その悪影響は小さくなる。したがって、筆記シート４０４を十分に薄くすることができ、また、筆記シート４０４とカバー５００との距離を十分に小さくすることができれば、カバー５００を必ずしも半透光性とする必要はなく、遮光性が強い材質とすることも可能である。したがって本発明の実施形態は、カバー５００が半透光性である場合も、完全な遮光性である場合も、いずれの場合もあり得ることに留意されない。
【００８２】
さて、図７を参照し、コプリング（弾性部材）５０６の構成例を詳細に説明する。図７には、カバー５００及びその取り付け機構が、図６の視点とは反対側の視点から描かれている。ただし、引っ掛け金具５０２は省略されていることに注意されたい。本例において、コプリング５０６は、定荷重ばね５０６ｂとフック５０６ｃ、及びこれらを懸垂金具５０４に取り付けるためのばね固定金５０６ａとを有する。図示されている通り、定荷重ばね５０６ｂ及びフック５０６ｃは、左右それぞれ１組ずつ設けられる。定荷重ばね５０６ｂは、ばねがコイル状に巻かれており、その端部がフック５０６ｃに接続されている。したがって、定荷重ばね５０６ｂの弾性力を超える力を加えることにより、フック５０６ｃは横方向に伸びることができる。
【００８３】
引っ掛け金具５０２は、左右のフック５０６の間に収まるように配置される。したがって、電動アクチュエータ４１０から引っ掛け金具５０２に伝えられる、スキャナ走査方向の推進力は、左右のフック５０６ｃのいずれかを介して定荷重ばね５０６ｂのいずれかに伝達され、さらに、定荷重ばね５０６ｂが取り付けられているばね固定金５０６ａを介して懸垂金具５０４に伝えられる。
【００８４】
電動アクチュエータ４１０の力でカバー５００を移動させるためには、定荷重ばね５０６ｂの弾性力が、カバー５００を移動させるための力よりも強い必要がある。すなわち、カバー５００の移動中において、定荷重ばね５０６ｂは余り変形せずに（または全く変形しないで）懸垂金具５０４を引っ張ることができることが好ましい。したがって、定荷重ばね５０６ｂとしては、そのような弾性力を有する部材を選択して用いることが好ましい。
【００８５】
しかしながら、実装上の制限から、スキャナ４０６とカバー５００の可動範囲が異なる場合がある。本例では、例えば図４（ａ）において、スキャナ４０６は電子黒板４００の最端部まで移動することが可能であるが、カバー５００は、例えば、ディスプレイ４０２の余白部分４２０までしか移動できない。
【００８６】
このような制限においてもスキャナ４０６とカバー５００を同じアクチュエータで移動させることを可能とするため、定荷重ばね５０６ｂの弾性力は、アクチュエータ４１０の駆動力よりは弱いものであることが好ましい。定荷重ばね５０６ｂをそのように選択することにより、カバー５００またはその取付具が、可動範囲の端部に達して電子黒板４００の構造部品に当接し、それ以上移動できない状態になっても、定荷重ばね５０６ｂが変形してフック５０６ｃが伸びることができるので、スキャナ４０６はさらに移動を続けることが可能となる。
【００８７】
この様子が図８に描かれている。図示されるように、引っ掛け金具５０２は、フック５０６ｃに挟まれるように配置されている。図８（ａ）は、図５（ｃ）に描かれているような、スキャナ４０６がディスプレイ４０２上を走行している状態を描いており、フック５０６ｃは変形せずに（すなわち伸びることなしに）引っ掛け金具５０２から加えられる力を懸垂金具５０４に伝えている。これに対して図８（ｃ）は、図５（ａ）に描かれているような、スキャナ４０６が電子黒板４００の最端部まで移動している状態を描いており、カバー５００がその可動範囲の最端部に達した後も、フック５０６ｃが伸びることにより、スキャナ４０６が移動していることが描かれている。すなわち引っ掛け金具５０２，懸垂金具５０４，コプリング５０６は、スキャナ４０６とカバー５００の行程差緩和機構を提供する。
【００８８】
この例では弾性部品５０６として定荷重ばねを採用しているが、これは単なる例であり、前述した条件を満たすものであれば、定荷重ばね以外のばねを用いることも可能である。しかしながら、定荷重ばねは、伸び量に関わらず弾性力が一定であるという利点を有するため、スキャナ４０６やカバー５００の移動制御が容易であるという利点をもたらす。また上記の例では、アクチュエータに連結される引っ掛け金具５０２に加えられる力をコプリング５０６に伝えるために、フック（５０６ｃ）を利用していたが、これも単なる例に過ぎず、力をうまく伝達できるものであれば、どのような形状・構造の部品を用いても、本発明の範囲を超えるものではないことに留意されたい。
【００８９】
なお、図８にはスキャナ４０６の裏面が描かれている。符号４０６ａは読み取り窓を示し、ここから読み取り用の光が放射され、また、反射して戻ってきた光が入射する。従って、読み取り窓４０６ａの奥には光放射装置と光検出装置が存在する。また、符号４０６ｂはスキャナ４０６に取り付けられているカーテンを表す。カーテン４０６ｂは、少なくともスキャナ４０６が筆記シート４０４上を走行している間、筆記シート４０４に接し続けるように取り付けられており、外光が読み取り窓４０６ａに入射することを防止する。
【００９０】
図９及び図１０を用いて、電子黒板４００のさらなる構成及び処理の流れについて説明していく。図９は電子黒板４００の構成要素を説明するための図であり、図１０は処理の流れを説明するための図である。
【００９１】
電子黒板４００は、図４にも描かれている液晶ディスプレイ４０２，スキャナ４０６，操作パネル４０８，スキャナ４０６を移動させるための電動アクチュエータ４１０などのほかに、制御部４３０，内部記憶装置４３２，映像信号発生回路４３４，プリンタ４３６などを備えることができる。制御部４３０は、電子黒板４００の全体の制御をつかさどる要素であり、操作パネル４０８やスキャナ４０６などの内部要素又は外付けＰＣ４５２などの外部要素からの信号に応答して、所定の処理を行ったり、他の要素を制御するための信号を発生する。制御部４３０は、その一部または全部の処理をプログラムによるソフトウェア処理によって行うように構成されることができる。むろん、ハードウェア的に制御が可能なように構成されることもできる。制御部４３０を動作させるためのプログラムは、内部記憶装置４３２に格納できる。内部記憶装置４３２は、フラッシュメモリやハードディスクなど、不揮発性の記憶手段を含むことが好ましい。内部記憶装置４３２は、１種類の記憶手段のみからなる必要がなく、複数の記憶手段を備えていてもよい。例えば、高速なデータの読み書きのために、読み取り・書き込み速度が速いＤＲＡＭ，ＳＲＡＭ等のメモリを備えることができ、長期のデータ保存のために、フラッシュメモリやハードディスクなどを備えることができる。さらに、ＣＤ−ＲやＤＶＤ−Ｒなど、持ち運びが便利な記憶手段を備えることもできる。制御部４３０を動作させるプログラムは、ＣＤ−Ｒなどの記憶手段に格納されて保存することができ、また、これらの記憶手段に格納されて独立の製品として販売することもできる。さらに、ネットワークを通じて販売することも可能である。
【００９２】
液晶ディスプレイ４０２は複数の系統の入力を備えることができる。本例の場合、映像信号発生回路４３４，外付けＰＣ４５２，ＴＶ／ビデオ４５４の３つの入力を受け入れるように構成されている。入力系統の切り替えは、制御部４３０が液晶ディスプレイを制御することによって行われるが、制御部４３０は、利用者が操作パネル４０８を操作することに応じて生成される信号に応答して、または処理の必要性に応じて独自の判断によって、その制御を行う。このような制御は、ハードウェア回路によって行うように構成してもよいし、ソフトウェア処理によって行うように構成してもよい。
【００９３】
映像信号発生回路４３４は、液晶ディスプレイ４０２を、所定の色で表示させるための映像信号を生成する。前述のように、本例では、スキャン実行時に液晶ディスプレイ４０２を白色するように構成されるが、そのための映像信号は、この映像信号発生回路４３４によって生成される。
【００９４】
このほか電子黒板４００は、ＵＳＢメモリ・ＳＤカードなど携帯用メモリの書き込み装置４３８を備えることができ、制御部４３０の制御により、スキャン結果を携帯用メモリに保存するように構成できる。また電子黒板４００は、外付けＰＣ４５２の表示画面をキャプチャし、それをスキャナ４０６による読み取り結果に合成し得るように構成することができる。また、図示しない構成により、著作権に問題が無いことを条件に、ＴＶ／ビデオ４５４の画面をキャプチャし、それをスキャナ４０６による読み取り結果に合成できるように構成してもよい。
【００９５】
次に、図１０を参照して、電子黒板４００の典型的な処理の流れの一例を説明する。
【００９６】
ステップ１００は処理の開始を表す。ステップ１０２では、利用者が液晶ディスプレイ４０２に何を表示するのかを選択する。可能な選択肢は、例えば、画面全体を白色で表示させること、外付けＰＣ４５２の画面を表示させること、ＴＶ／ビデオ４５４の映像表示させること等でありうる。これらのモードの切り替えは、操作パネル４０８を操作することにより切り替えることができ、制御部４３０は、切り替え操作に応じて生成された信号に従って、液晶ディスプレイ４０２の入力系統を切り替える（ステップ１０４）。画面全体を白色で表示させるモードは、電子黒板４００を、あたかも普通のホワイトボードのように用いる場合に便利であろう。外付けＰＣ４５２の画面を表示させるモードは、ＰＣの画面に重ねて線図を描く場合に便利であろう。制御部４３０による切り替え動作に応じて、液晶ディスプレイ４０２には、選択された画像が表示される（ステップ１０６）。
【００９７】
ステップ１０８は、スキャナ４０６による読み取りを開始すべき旨の指示がなされる段階を表している。この指示は、例えば、利用者が操作パネル４０８を操作することによりなされる。この操作に応じて信号が生成され、制御部４３０は、生成された信号に応答して、続く必要な制御を行う。スキャナ４０６による読み取り動作に関する信号は、必ずしも操作パネル４０８の操作によって生成されるものでなくてもよく、外部から供給される制御信号であるように構成してもよい。
【００９８】
読み取り動作に関する信号に応答して、制御部４３０は、次の三つの制御を行うことができる。一つは、液晶ディスプレイ４０２の入力を切り替え、映像信号発生回路４３４からの信号を表示させる（ステップ１１０）。同時に映像信号発生回路４３４に指示を出し、スキャンに好適な色や輝度の映像信号を生成させる（ステップ１１２）。前述のように、カラーでの読み取りを行う場合、スキャンに好適な色は白色である。留意すべきは、たとえステップ１０２〜１０６における画面表示モード選択において、白色表示がなされるモード（ホワイトボードモード）に設定されていたとしても、なお、輝度の変更がなされなければならない可能性があることである。すなわち、輝度が高過ぎれば、カバー５００が明るく光すぎて、スキャナ４０６が、筆記シート４０４上の線図からの反射光をカバー５００を透過してくるディスプレイの光と区別することが困難となる。輝度が低すぎれば、カバー５００上に生じる影の影響を軽減するには不足となる。制御部４３０及び映像信号発生回路４３４は、スキャンに好適な色及び輝度の映像信号を生成可能なように構成される。
【００９９】
さらに制御部４３０は、電動アクチュエータ４１０を始動させ、スキャナ４０６を筆記シート４０４上を走行させる（ステップ１１４）。このとき、既に説明したように、筆記シート４０４と液晶ディスプレイ４０２との間において、カバー５００がスキャナ４０６の読み取り面と対面するように、スキャナ４０６に伴走する。
【０１００】
同時に制御部４３０は、スキャナ４０６をアクティブ化し、読み取りを開始させる（ステップ１１６）。読み取られたデータは制御部４３０に送られる（ステップ１１８）。スキャナ４０６は、筆記シート４０４の全面の走査が終了してから読み取りデータをまとめて制御部４３０に送ってもよいし、読み取りを行いつつ次々に送ってもよい。読み取り終了後（又は読み取り中に逐次）、制御部４３０は、送られてきたデータに所定の信号処理を行い、内部記憶装置４３２に保存する（ステップ１２０）。
【０１０１】
ステップ１０２〜１０６の画面表示モード選択において、ＰＣ４５２の画面をディスプレイ４０２に表示することが選択されていた場合、制御部４３０は、その表示内容をキャプチャし（ステップ１２２）、内部記憶装置４３２に保存されていたスキャン画像と合成するように動作することができる（ステップ１２４）。合成された画像データは再び内部記憶装置４３２に保存される（ステップ１２６）。保存を行わず出力の処理（ステップ１２８）に進んでも良い。
【０１０２】
続いてステップ１２８において、制御部４３０は、スキャン画像（又はＰＣの画面データと構成されたスキャン画像）を出力する。この出力は様々な形態で行われる可能性があり、例えば、プリンタ４３６に出力されて紙に印刷される形態、ＵＳＢメモリ書き込み装置４３８に挿し込まれたＵＳＢメモリに画像データとして保存される形態、外付けＰＣ４５２に画像データとして送信される形態、図示されていないが、ネットワークを経由して外部に送信される形態、又は、これらの一つ以上が同時に行われる形態、などがある。
【０１０３】
電子黒板４００の使用を終了する場合はステップ１３２に進み、さらに使用を継続する場合は、ステップ１３０に示されるように、ステップ１０２から改めて操作を行うこととしてもよい。
【０１０４】
以上、本発明の好適な実施形態の例をいくつか説明してきたが、これらの説明は本発明の理解に資する目的でなされたものであり、本発明を限定する意図でなされたものでないことに留意されたい。本発明は、ここに紹介された実施形態に制限されることはなく、本発明の本質を変えることなく、様々な実施形態を取り得るものであることを最後に申し述べる。
【図面の簡単な説明】
【０１０５】
【図１】実施例１として紹介する電子黒板の概略構成を説明するための図である。
【図２】実施例１として紹介する電子黒板の外観構造を説明するための斜視図である。
【図３】実施例１の電子黒板の制御部６による処理を説明するためのフローチャートである。
【図４ａ−ｂ】実施例２として紹介する電子黒板４００を説明するための図であり、（ａ）は正面斜視図、（ｂ）は背面斜視図である。
【図４ｃ】電子黒板４００においてスキャナ４０６が移動している様子を説明するための図である。
【図５】図４（ｃ）のＡ−Ａ'断面図であり、（ａ）は断面の全体図、（ｂ）は断面の上部の拡大図である。
【図６】カバー５００及びその取り付け機構の部分を拡大して描いた図であり、（ａ）は全体図、（ｂ）は上部の拡大図、（ｃ）は下部の拡大図である。
【図７】コプリング５０６の構成例を詳細に説明するための図である。
【図８ａ−ｂ】コプリング５０６の機能を説明するための図である。
【図８ｃ−ｄ】コプリング５０６の機能を説明するための図である。
【図９】電子黒板４００のさらなる構成を説明するための図である。
【図１０】電子黒板４００の動作を説明するためのフローチャートである。
【符号の説明】
【０１０６】
１    電子黒板
２    表示パネル
３    透明部材
４    スキャナ
５    表示色発生部
６    制御部
７    操作部
８    プリンタ
９    メモリ
１０    インターフェース
１１    本体
１２    液晶ディスプレイ
１３    透明樹脂板
１４    移動式スキャナ
４００    電子黒板
４０２    液晶ディスプレイ
４０４    筆記シート
４０６    スキャナ
４０８    操作パネル
４１０    電動アクチュエータ
４１２    レール
４２０    余白部分
４３０    制御部
４３２    内部記憶装置
４３４    映像信号発生回路
４３６    プリンタ
５００    カバー
５００ａ    透明部材
５００ｂ    白フィルム
５０２    引っ掛け金具
５０４    懸垂金具
５０６    弾性部材
５０８    スライドレール
【図１】
2010111073.tif 000003
【図３】
2010111073.tif 000004
【図４ａ−ｂ】
2010111073.tif 000005
【図４ｃ】
2010111073.tif 000006
【図５】
2010111073.tif 000007
【図６】
2010111073.tif 000008
【図７】
2010111073.tif 000009
【図８ａ−ｂ】
2010111073.tif 000010
【図８ｃ−ｄ】
2010111073.tif 000011
【図９】
2010111073.tif 000012
【図１０】
2010111073.tif 000013
【図２】
2010111073.tif 000014